(57)【特許請求の範囲】
【請求項１】
導光板の少なくとも一側面に対向するように略棒状の導光体を配置し、この導光体の少なくとも一端に点光源を配置し、この点光源からの光を前記導光体を介して前記導光板の前記一側面から導光板の内部へ導き、この導光板の内部に導いた光を出射面から面状に出射するようになっている面光源装置において、
前記導光体は、
この導光体の内部を伝播する前記点光源からの光を前記導光板の前記一側面に対向する面側に反射する反射面と、
前記点光源が配置される前記導光体の前記一端を切り欠くように形成され、前記光源から前記反射面に向かう光を多くする第１の面と、
前記点光源が配置される前記導光体の前記一端を切り欠くように形成され、前記光源からの光を前記導光体の前記一端近傍に導く第２の面と、
前記導光体の内部を伝播する光のうちで、前記反射面で反射することなく伝播する光を前記導光板の前記一側面側へ出射すると共に、前記反射面で一回反射された光を前記導光板の前記一側面側へ出射するように、前記一側面に対向する面に多数形成された出射側プリズム突起と、を備え、
前記多数の出射側プリズムは、少なくとも、前記反射面で反射された光を効率的に出射させる面が形成された第１の出射側プリズムの部分と、前記反射面で反射されることなく前記導光体内を伝播する光を効率的に出射させる面が形成された第２の出射側プリズムの部分とで構成され、
前記第１の出射側プリズムの部分と前記第２の出射側プリズムの部分は、それぞれの部分において、それぞれの前記出射側プリズムの出射面と前記導光板の前記一側面に直交する方向とのなす角が前記点光源に近づくにしたがって漸増するようになっており、
前記導光板の前記一側面には、前記導光体の前記出射側プリズム突起を介して出射した前記点光源からの光を前記一側面に略直交する方向へ伝播する光として入射させる入射側プリズム突起が形成された、
ことを特徴とする面光源装置。
【請求項２】
前記請求項１に記載の面光源装置と、この面光源装置からの面状の出射光で照明される被照明部材と、を備えたことを特徴とする画像表示装置。
【請求項３】
導光板の入射面に対向するように配置され、点光源からの光を前記導光板の入射面側に出射する導光体において、
前記点光源からの光を前記導光板の前記入射面に対向する面側に反射する反射面と、
前記点光源が配置される前記導光体の前記一端を切り欠くように形成され、前記光源から前記反射面に向かう光を多くする第１の面と、
前記点光源が配置される前記導光体の前記一端を切り欠くように形成され、前記光源からの光を前記導光体の前記一端近傍に導く第２の面と、
前記反射面で一回反射された光を前記導光板の前記入射面側に出射すると共に、前記反射面で反射されずに前記入射面に対向する面に到達した光を前記導光板の前記入射面側に出射する多数の出射側プリズム突起と、を備え、
前記多数の出射側プリズムは、少なくとも、前記反射面で反射された光を効率的に出射させる面が形成された第１の出射側プリズムの部分と、前記反射面で反射されることなく前記導光体内を伝播する光のみを出射させる面が形成された第２の出射側プリズムの部分とで構成され、
前記第１の出射側プリズムの部分と前記第２の出射側プリズムの部分は、それぞれの部分において、それぞれの前記出射側プリズムの出射面と前記導光板の前記入射面に直交する方向とのなす角が前記点光源に近づくにしたがって漸増するようになっている、
ことを特徴とする導光体。
【発明の詳細な説明】
【０００１】
【発明の属する技術分野】
この発明は、携帯型電話機，携帯型電子端末装置，電子手帳，カーナビゲーション装置，デジタルカメラ，ＶＴＲ装置等において、液晶表示パネル（被照明部材）を面状に照明するバックライト等として使用される面光源装置及びこの面光源装置を備えた画像表示装置に関するものであり、また、これら面光源装置及び画像表示装置に使用される導光板に関するものである。
【０００２】
【従来の技術】
例えば、携帯型電話機や携帯型電子端末装置等は、持ち運ぶために小型化・軽量化されており、電源となる電池容量も限られたものとなる。したがって、これら携帯型電話機や携帯型電子端末装置等の液晶表示パネル（被照明部材）を照明する面光源装置の消費電力を可能な限り少なくすることが望まれている。
【０００３】
そこで、例えば、特開２００１−３５２２５号公報に開示されたように、消費電力が大きな蛍光ランプに替えて、消費電力が小さなＬＥＤ（点光源）を使用した面光源装置が案出された。この面光源装置５０は、図１３に示すように、導光板５１の入射面５２に対向するように光路変換板５３を配置し、この光路変換板５３に対向するように棒状の導光体５４を配置して、この導光体５４の端部に配置したＬＥＤ５５からの光を導光体５４及び光路変換板５３を介して導光板５１の入射面５２から導光板５１の内部に取り入れた後、そのＬＥＤ５５からの光を導光板５１の出射面５６から出射し、その出射光で液晶表示パネル等の被照明物を面状に照明するようになっている。
【０００４】
【発明が解決しようとする課題】
このような面光源装置５０は、導光体５４の反射面（光路変換板５３に対向する面と反対側の面）５７にプリズム溝５８を形成し、光路変換板５３の導光体５４に対向する面にプリズム列６０を形成して、ＬＥＤ５５からの光の進行方向を制御するようになっているが、ＬＥＤ５５と導光板５１との間に介在する部品数が多いため、光量ロスが生じやすいという問題を有していた。
【０００５】
また、図１４のように、光路変換板を省略した面光源装置６１が開発されたが、導光体６２内を伝播する光が導光体６２の導光板６３に対向する面６４で反射されやすく、導光体６２から導光板６３にＬＥＤ６５の光を導光板の幅方向に均等に採り入れることが困難であった。その結果、導光板６３の幅方向に対して直交する方向に延びる光のスジ６６が、導光板６３の出射面６７側から明暗の差として視認されやすく、照明品質を低下させてしまうという問題を有していた。
【０００６】
そこで、本発明は、部品点数を削減し、ＬＥＤからの光を効率的に導光板に取り入れ、高輝度で均一の面照明を可能にする技術の提供を目的とする。
【０００７】
【課題を解決するための手段】
請求項１の発明は、導光板の少なくとも一側面に対向するように略棒状の導光体を配置し、この導光体の少なくとも一端に点光源を配置し、この点光源からの光を前記導光体を介して前記導光板の前記一側面から導光板の内部へ導き、この導光板の内部に導いた光を出射面から面状に出射するようになっている面光源装置に関するものである。この面光源装置において、前記導光体は、（１）この導光体の内部を伝播する前記点光源からの光を前記導光板の前記一側面に対向する面側に反射する反射面と、（２）前記点光源が配置される前記導光体の前記一端を切り欠くように形成され、前記光源から前記反射面に向かう光を多くする第１の面と、（３）前記点光源が配置される前記導光体の前記一端を切り欠くように形成され、前記光源からの光を前記導光体の前記一端近傍に導く第２の面と、（４）前記導光体の内部を伝播する光のうちで、前記反射面で反射することなく伝播する光を前記導光板の前記一側面側へ出射すると共に、前記反射面で一回反射された光を前記導光板の前記一側面側へ出射するように、前記一側面に対向する面に多数形成された出射側プリズム突起と、を備えている。そして、前記多数の出射側プリズムは、少なくとも、前記反射面で反射された光のみを出射させる面が形成された前記出射側プリズムと、前記反射面で反射されることなく前記導光体内を伝播する光のみを出射させる面が形成された前記出射側プリズムとで構成されている。また、前記第１の出射側プリズムの部分と前記第２の出射側プリズムの部分は、それぞれの部分において、それぞれの前記出射側プリズムの出射面と前記導光板の前記一側面に直交する方向とのなす角が前記点光源に近づくにしたがって漸増するようになっている。また、前記導光板の前記一側面には、前記導光体の前記出射側プリズム突起を介して出射した前記点光源からの光を前記一側面に略直交する方向へ伝播する光として入射させる入射側プリズム突起が形成されたことを特徴としている。ここで、前記一側面とは、入射側プリズム突起を形成しない状態の仮想平面をいう。また、前記一側面に対向する面とは、出射側プリズム突起を形成しない状態の仮想平面をいう。
【０００８】
請求項２の発明は、上記請求項１の発明に係る面光源装置と、この面光源装置からの面状の出射光で照明される被照明部材と、を備えたことを特徴とする画像表示装置に関するものである。
【０００９】
請求項３の発明は、導光板の入射面に対向するように配置され、点光源からの光を前記導光板の入射面側に出射する導光体に関するものである。この導光体は、（１）前記点光源からの光を前記導光板の前記入射面に対向する面側に反射する反射面と、（２）前記点光源が配置される前記導光体の前記一端を切り欠くように形成され、前記光源から前記反射面に向かう光を多くする第１の面と、（３）前記点光源が配置される前記導光体の前記一端を切り欠くように形成され、前記光源からの光を前記導光体の前記一端近傍に導く第２の面と、（４）前記反射面で一回反射された光を前記導光板の前記入射面側に出射すると共に、前記反射面で反射されずに前記入射面に対向する面に到達した光を前記導光板の前記入射面側に出射する多数の出射側プリズム突起と、を備えている。そして、前記多数の出射側プリズムは、少なくとも、前記反射面で反射された光のみを出射させる面が形成された前記出射側プリズムと、前記反射面で反射されることなく前記導光体内を伝播する光のみを出射させる面が形成された前記出射側プリズムとで構成されている。また、前記第１の出射側プリズムの部分と前記第２の出射側プリズムの部分は、それぞれの部分において、それぞれの前記出射側プリズムの出射面と前記導光板の前記入射面に直交する方向とのなす角が前記点光源に近づくにしたがって漸増するようになっていることを特徴としている。
【００１０】
【発明の実施の形態】
以下、本発明の実施の形態を図面に基づき詳述する。
【００１１】
［第１の実施の形態］
（面光源装置及び画像表示装置の概略構成）
図１〜図３は、本発明の実施の形態に係る面光源装置１を示すものである。このうち、図１は面光源装置１の斜視図であり、図２は面光源装置１の一部を拡大して示す平面図である。また、図３は、図１のＡ−Ａ線に沿って切断して示す断面図である。これらの図に示すように、本実施の形態の面光源装置１は、導光板２の一方の側面（二次入射面）３に対向するように略棒状の導光体４が配置され、この導光体４の両端部にそれぞれ点光源としてのＬＥＤ５，５が配置されている。そして、この面光源装置１を構成する導光板２の二次出射面６に重ねるように液晶表示パネル（被照明部材）７が配置され、携帯型電話機等に広く使用される画像表示装置８が構成される。ここで、一方の側面３とは、後述する入射側プリズム突起１６を形成しない場合の仮想平面であり、実際の二次入射面となるのは入射側プリズム突起１６のプリズム面である。
【００１２】
（導光体）
導光体４は、ＰＭＭＡ（ポリメタクリル酸メチル），ＰＣ（ポリカーボネート），シクロオレフィン系樹脂材料等の光透過性に優れた材料を使用して形成されており、導光板２の幅方向中心位置ＣＬを基準とした対称形状になっている。そして、この導光体４は、対向する両端面（一次入射面）１０，１０から入射したＬＥＤ５からの光Ｈ１を導光板２の二次入射面３に対向する側面（一次出射面）１１側へ反射する反射面１２が形成されると共に、この反射面１２で一回反射された光Ｈ１及び反射面１２で反射されずに直接到達した光Ｈ２を効率的に導光板２の二次入射面３側へ出射する出射側プリズム突起１３が一次出射面１１に多数形成されている。ここで、二次入射面３に対向する側面１１とは、出射側プリズム突起１３を形成しない場合の仮想平面であり、実際の一次出射面となるのは出射側プリズム突起１３のプリズム面である。
【００１３】
この出射側プリズム突起１３は、反射面で一回反射された光Ｈ１を効率的に出射させる面を形成した部分と、反射面で反射されずに一次出射面１１側に到達した光を効率的に出射させる面を形成した部分とからなっている。そして、この出射側プリズム突起１３は、図２に詳細を示すように、略鋸刃形状を呈しており、それぞれの部分において、その刃の傾斜角度θが幅方向中心位置ＣＬから幅方向に離れるにしたがって徐々に大きくなるように形成されている。
【００１４】
導光体４の平面形状は、図２に示すように、両端面１０，１０の幅寸法（Ｗ１）が幅方向中心位置ＣＬの幅寸法（Ｗ２）よりも大きく、両端面１０，１０から幅方向中心位置ＣＬに向かうに従って幅寸法が漸減するように滑らかな曲面で反射面１２が形成されている。
【００１５】
ここで、導光体４の端部には、ＬＥＤ５から反射面１２に向かう光Ｈ１を多くするように形成された傾斜面１４と、ＬＥＤ５からの光Ｈ２を導光体４の端部近傍に導く幅方向面１５とが切り欠くように形成されている。また、導光体４の長さは、導光板２の幅方向両端部から僅かに出っ張る程度の長さ寸法に形成されており、導光板２の二次出射面６の有効利用面積をどの程度にするか等によって適宜最適な寸法が設定される。
【００１６】
（導光板）
導光板２は、ＰＭＭＡ（ポリメタクリル酸メチル），ＰＣ（ポリカーボネート），シクロオレフィン系樹脂材料等の光透過性に優れた材料を使用して形成されており、平面形状が略矩形形状の薄板状部材である。そして、この導光板２の二次入射面３には、導光体４の出射側プリズム突起１３から出射された光Ｈ１，Ｈ２を二次入射面３に対して略直交する方向へ向けて入射させる入射側プリズム突起１６が形成されている。尚、この入射側プリズム突起１６は、図２に示すように、平面形状が略三角形状を呈している。そして、入射側プリズム突起１６の頂角は、出射側プリズム突起１３から出射された光を幅方向に対して略直交する方向へ効率的に進ませるような角度に設定されている。
【００１７】
また、この導光板２の二次出射面６に対向する裏面１７側には、二次出射面６からの光の出射を促すように光を反射する出射促進手段としての突起１８が多数形成されている。ここで、出射促進手段としての突起１８は、図４〜図６に示すように、略四角錐形状を呈しており、導光板２の内部を伝播する光のうちで、裏面１７に対して僅かに傾いた状態で伝播する光Ｈａ，Ｈｂが突起１８を形成する斜面２０，２１で反射された後、更に斜面２１，２０で反射され、進行方向を３次元的に変換され、二次出射面６に向かう光が生じる。また、斜面２２，２３で反射された光が、更に斜面２１，２０と斜面２０，２１で反射されて方向変換され、二次出射面６に向かう光が生じることがある。
【００１８】
ここで、斜面２０，２１の方位と配光を調整することにより、二次出射面６からの光の出射方向を特定方向へ向けるようにすることができ、例えば、二次出射面６の全体からの光の出射方向を二次出射面６のほぼ法線方向にすることができ、また、二次出射面６から離れた一点を目指すような収束性のある光束を生じさせることも可能である。尚、本実施の形態では、斜面２０，２１の方位と配向を調整することにより、二次出射面６のほぼ法線方向に光を出射するようになっている。ここで、斜面２０，２１の方位とは、斜面２０，２１の法線の３次元的傾斜角度をいい、斜面２０，２１の配向とは、斜面２０，２１の稜線２４の延在方向をいう。
【００１９】
尚、導光板２の裏面１７に形成される突起１８は、微小な突起であり、裏面１７から被照明箇所を観察することを何等妨げるものではない。また、本実施の形態において示した突起１８は、出射促進手段としての一例を示すものであり、本実施の形態の形状に限定されるものでなく、上述の突起１８と同様の機能を発揮し得るものであればよい。
【００２０】
例えば、図７に示すような、三角柱状の空間が形成される第１の出射促進溝２５や、図８に示すような、円柱を中心線に沿って半分に切断したような略半円柱状の第２の出射促進溝２６でもよい。これらの第１の出射促進溝２５や第２の出射促進溝２６は、導光板２の二次入射面３から入射して導光板２内を伝播する光Ｈｃを傾斜面２５ａや円弧状面２６ａで反射し、光Ｈｃを二次出射面６の略法線方向へ出射させるようになっている。尚、第１の出射促進溝２５や第２の出射促進溝２６は、導光板の射出成形金型のキャビティ内に形成した略三角柱状の突起２７や略半円柱状の突起２８を導光板２の裏面１７に転写することにより形成される。
【００２１】
以上のように構成された本実施の形態の面光源装置１において、ＬＥＤ５，５から発せられた光は、導光体４の端面（一次入射面）１０，１０から導光体２内部に進入し、導光体２内部を伝播する。導光体２内部を伝播する光のうちで、反射面１２で一回反射されて導光体４の一次出射面１１に到達した光Ｈ１及び反射面１２で反射されることなく導光体４の一次出射面１１に直接到達した光Ｈ２が出射側プリズム突起１３の働きによって導光板２の二次入射面３側へ向けて出射される。この出射側プリズム突起１３から出射される光Ｈ１，Ｈ２は、その光量が導光板２の幅方向にほぼ均等になるように出射される。
【００２２】
導光体４から出射して導光板２の二次入射面３に到達した光は、導光板２の二次入射面３の入射側プリズム突起１６によって導光板２の内部に均等に且つ効率的に採り入れられる。この導光板２の内部を伝播する光は、導光体２の出射側プリズム突起１３と導光板２の入射側プリズム突起１６の相乗作用によって導光板２の幅方向に対して略直交する方向へ伝播する。この際、導光板２の内部を伝播する光は、導光板２の幅方向にほぼ均等に進行するため、光のスジが明暗の差として現れにくい。そして、導光板２の内部を伝播する光のうち、導光板２の裏面１７に到達した光は、出射促進手段としての突起１８で反射されて進行方向が変換され、導光板２の二次出射面６からその略法線方向へ向かって出射し、導光板２に対面するように配置された液晶表示パネル７を照明する。
【００２３】
このような構成の本実施の形態によれば、導光体４と導光板２の間に他の光学部品を配置せず、導光体４の導光板２に対向する側面（一次出射面）１１側に出射側プリズム突起１３を形成する一方、導光板２の導光体４に対向する側面（二次入射面）３側に入射側プリズム突起１６を形成し、この出射側プリズム突起１３と入射側プリズム突起１６とで導光体４の両端部に配置したＬＥＤ５，５からの光を効率的に導光板２内に採り入れることができ、光の利用ロスを減少させて、高輝度の面照明を可能にする。
【００２４】
また、本実施の形態によれば、導光体４の出射側プリズム突起１３から出射した光が導光板２の入射側プリズム突起１６から導光板２の幅方向に均等に入射するため、導光板２内を伝播する光がスジ状の明暗の差として視認されるようなことがなく、照明品質が向上する。
【００２５】
また、本実施の形態によれば、図２に示すように、ＬＥＤ５，５からの光は、導光体４の出射側プリズム突起１３と導光板２の入射側プリズム突起１６の相乗作用により、導光板２の幅方向に対して略直交する方向へ進行する平行光線として採り入れられる。したがって、本実施の形態によれば、図４（ａ）の突起１８，図７（ａ）の第１の出射促進溝２５及び図８（ａ）の第２の出射促進溝２６が、図４（ｂ）に示す突起１８のように光の伝播方向に応じて向きを変える必要がなく、一定方向に向けて配置できるため、導光板２の生産が容易になる。
【００２６】
更に、上記のような出射促進手段は、その出射機能が光の伝播方向に大きく依存するため、導光板の入射面に直接ＬＥＤを配置した場合に、当該ＬＥＤから放射状に広がる光の伝播方向に応じて向きを変えなければならず、光の利用ロスも大きい。しかし、本実施の形態によれば、導光板２の幅方向に対して略直交する方向へ進行する平行光線として採り入れたＬＥＤ５，５からの光を出射促進手段で理想的に反射することができるため、光の利用ロスを少なくすることができ、出射光の高輝度化を図ることができる。
【００２７】
［第２の実施の形態］
図９は、本発明の第２の実施の形態に係る面光源装置１を示すものであり、面光源装置１の一部拡大平面図である。尚、本実施の形態の面光源装置１において、前記第１の実施の形態の面光源装置１と同一の構成については同一符号を付し、重複した説明を省略する。
【００２８】
すなわち、本実施の形態の面光源装置１は、導光体３０の形状が前記第１の実施の形態の導光体４と相違する。すなわち、本実施の形態の導光体３０は、その端面３１が導光板２の側面３２とほぼ平行に形成されており、出射側プリズム突起３３が導光板２の入射側プリズム突起１６に沿って形成されている。また、導光体３０の反射面３４は、導光体３０の端面３１から幅方向中心位置ＣＬに向けて幅寸法を漸減するように、平面状部３４ａとこの平面状部３４ａに滑らかに接続する曲面状部３４ｂとで構成されている。
【００２９】
導光体３０の出射側プリズム突起３３は、反射面３４に一回反射された光Ｈ１を入射側プリズム突起１６側へ向けて出射する部分と、反射面３４に一回反射された光Ｈ１及び反射面３４に反射されずに直接到達した光Ｈ２を入射側プリズム突起１６側へ向けて出射する部分と、反射面３４に反射されずに直接到達した光Ｈ２のみを入射側プリズム突起１６側へ向けて出射する部分と、からなっている。
【００３０】
このような構成の本実施の形態に係る面光源装置１は、前記第１の実施の形態の面光源装置１と同様の効果を奏するようになっている。
【００３１】
［第３の実施の形態］
図１０は、本発明の第３の実施の形態に係る面光源装置１を示すものであり、面光源装置１の一部拡大平面図である。尚、本実施の形態の面光源装置１において、前記第１の実施の形態の面光源装置１と同一の構成については同一符号を付し、重複した説明を省略する。
【００３２】
すなわち、本実施の形態の面光源装置１は、導光体３５の形状が前記第１及び第２の実施の形態の導光体４，３０と相違する。すなわち、本実施の形態の導光体３５は、その反射面３６が導光板２の入射側プリズム突起１６の形成方向（幅方向）とほぼ平行に形成された平面であり、出射側プリズム突起３７が端面３８から幅方向中心位置ＣＬに向かうに従って入射側プリズム突起１６から遠ざかるように形成されている。そして、導光体３５の端面３８が、導光体３５の出射側プリズム突起３７の形成方向に対して略直交するように形成されている。
【００３３】
導光体３５の出射側プリズム突起３７は、前記第２の実施の形態の導光体３０と同様に、反射面３６に一回反射された光Ｈ１を入射側プリズム突起１６側へ向けて出射する部分と、反射面３６に一回反射された光Ｈ１及び反射面３６に反射されずに直接到達した光Ｈ２を入射側プリズム突起１６側へ向けて出射する部分と、反射面３６に反射されずに直接到達した光Ｈ２のみを入射側プリズム突起１６側へ向けて出射する部分と、からなっている。
【００３４】
このような構成の面光源装置１は、一方の端面３８側のＬＥＤ５からの光であって、且つ導光体３５の出射側プリズム突起３７から出射した光のうちで幅方向中心位置ＣＬ側から出射した光が、幅方向中心位置ＣＬを越えた位置まで進み、入射側プリズム突起１６から導光板２の内部に進入する。
【００３５】
本実施の形態の面光源装置１は、前記第１及び第２の実施の形態の面光源装置１と同様の効果を奏するようになっている。
【００３６】
［第４の実施の形態］
図１１は、本発明の第４の実施の形態に係る面光源装置１を示すものであり、面光源装置１の一部拡大平面図である。尚、本実施の形態の面光源装置１において、前記第１の実施の形態の面光源装置１と同一の構成については同一符号を付し、重複した説明を省略する。
【００３７】
すなわち、本実施の形態の面光源装置１は、前記第２の実施の形態の導光体３０と導光板２を複数のブリッジ部４０で部分的に一体化したものであり、導光体３０と導光板２を一体として射出成形してなるものである。そして、導光体３０の導光板２に対向する部分に出射側プリズム突起３３が形成され、導光板２の導光体３０に対向する部分に入射側プリズム突起１６が形成されている。
【００３８】
このような構成の本実施の形態の面光源装置１は、導光体３０と導光板２の幅方向位置にズレを生じることがないため、出射側プリズム突起３３と入射側プリズム突起１６との相乗作用による光路変換作用がより効率的に発揮される。
【００３９】
［その他の実施の形態］
尚、上記各実施の形態の面光源装置１は、透過型の液晶表示パネル７を裏面側から面状に照明するバックライトとして使用されるものとして例示したが、これに限られず、反射型の液晶表示パネルをフロント側から面状に照明するフロントライトして使用するようにしてもよい。
【００４０】
また、本発明は、上記各実施の形態に係る面光源装置１の導光体４，３０，３５の形状に限定されるものでなく、例えば、図１２に示すように構成してもよい。すなわち、面光源装置の導光体は、前記第１の実施の形態に係る導光体４の幅方向中心位置ＣＬから右側の部分を切り落としたような構造とし、導光体４の端面１０に点光源としてのＬＥＤ５を単数配置するようにしてもよい。
【００４１】
また、導光板２に形成する出射促進手段としては、前述したものに限らず、導光板２の二次入射面３に直交する方向の断面が、例えば階段状になるように導光板２を形成する等することもできる。
【００４２】
【発明の効果】
以上のように、本発明は、導光体と導光板の間に他の光学部品を配置せず、導光体の導光板に対向する面側に出射側プリズム突起を形成する一方、導光板の導光体に対向する面側に入射側プリズム突起を形成し、この出射側プリズム突起と入射側プリズム突起とで導光体の少なくとも一端に配置した点光源からの光を効率的に導光板内に採り入れることができ、光の利用ロスを減少させて、高輝度の面照明を可能にする。
【００４３】
また、本発明によれば、導光体の出射側プリズム突起から出射した光が導光板の入射側プリズム突起から導光板の幅方向に均等に入射するため、導光板内を伝播する光がスジ状の明暗の差として視認されるようなことがなく、照明品質が向上する。
【図面の簡単な説明】
【図１】本発明の第１の実施の形態に係る面光源装置の外観斜視図である。
【図２】同面光源装置の一部を拡大して示す平面図である。
【図３】図１のＡ−Ａ線に沿って切断して示す断面図である。
【図４】図４（ａ）は第１の実施の形態に係る導光板の裏面の一部を拡大して示す図（図３のＹ方向から見た図）であり、図４（ｂ）は第１の実施の形態に係る導光体を使用しない場合の導光板の裏面の一部を拡大して示す図である。
【図５】導光板の一部裏面図であり、裏面の突起形状を説明する図である。
【図６】導光板の裏面の突起の作用を説明する図である。
【図７】図７（ａ）は出射促進手段としての第１の出射促進溝を形成した導光板の裏面図であり、図７（ｂ）は図７（ａ）のＢ−Ｂ線に沿って切断して示す断面図であり、図７（ｃ）は第１の出射促進溝を形成するために射出成形金型に形成される突起の斜視図である。
【図８】図８（ａ）は出射促進手段としての第２の出射促進溝を形成した導光板の裏面図であり、図８（ｂ）は図８（ａ）のＣ−Ｃ線に沿って切断して示す断面図であり、図８（ｃ）は第２の出射促進溝を形成するために射出成形金型に形成される突起の斜視図である。
【図９】本発明の第２の実施の形態に係る面光源装置の一部拡大平面図である。
【図１０】本発明の第３の実施の形態に係る面光源装置の一部拡大平面図である。
【図１１】本発明の第４の実施の形態に係る面光源装置の一部拡大平面図である。
【図１２】本発明の他の実施の形態に係る面光源装置の一部拡大平面図である。
【図１３】第１の従来例に係る面光源装置の一部平面図である。
【図１４】第２の従来例に係る面光源装置の一部平面図である。
【符号の説明】
１……面光源装置、２……導光板、３……二次入射面（一側面）、４，３０，３５……導光体、５……ＬＥＤ（点光源）、６……二次出射面（出射面）、７……液晶表示パネル（被照明部材）、８……画像表示装置、１２，３４，３６……反射面、１３，３３，３７……出射側プリズム突起、１６……入射側プリズム突起
【図１】
0004301762.tif 000002
【図２】
0004301762.tif 000003
【図３】
0004301762.tif 000004
【図４】
0004301762.tif 000005
【図５】
0004301762.tif 000006
【図６】
0004301762.tif 000007
【図７】
0004301762.tif 000008
【図８】
0004301762.tif 000009
【図９】
0004301762.tif 000010
【図１０】
0004301762.tif 000011
【図１１】
0004301762.tif 000012
【図１２】
0004301762.tif 000013
【図１３】
0004301762.tif 000014
【図１４】
0004301762.tif 000015